(57)【要約】【課題】記録媒体が搬送されても静電気が起きにくく、ジャムが発生しにくい画像形成装置及び商品販売データ登録処理装置を提供する。【解決手段】画像形成装置は、ロール状に巻かれた記録媒体に画像形成するヘッドと、ヘッドの記録媒体搬送路を挟み対向する位置に配置されるプラテンと、ヘッドの記録媒体搬送方向下流に配置され、記録媒体を裁断するカッタと、カッタの記録媒体搬送方向下流の記録媒体排出口に設けられ、記録媒体と接触する面に複数の凹部を備える搬送テーブルと、を備える。【選択図】図２
2015044348.tif 000002
【特許請求の範囲】
【請求項１】
ロール状に巻かれた記録媒体に画像形成するヘッドと、
前記ヘッドの記録媒体搬送路を挟み対向する位置に配置されるプラテンと、
前記ヘッドの記録媒体搬送方向下流に配置され、前記記録媒体を裁断するカッタと、
前記カッタの記録媒体搬送方向下流の記録媒体排出口に設けられ、前記記録媒体と接触する面に複数の凹部を備える搬送テーブルと、
を備える画像形成装置。
【請求項２】
前記凹部は、
前記搬送テーブルの表面部の少なくとも前記記録媒体の搬送方向下流側に局面を有する請求項１記載の画像形成装置。
【請求項３】
前記凹部は、
前記搬送テーブルの表面部において少なくとも一部に曲線を含む形状をなす請求項２記載の画像形成装置。
【請求項４】
情報を入出力する入出力部と、
商品毎に固有に割り当てられる識別子である商品コード毎に単価を格納する商品マスタと、
一取引の内容を格納するトランザクションファイルと、
ロール状に巻かれた記録媒体に画像形成するヘッドと、前記ヘッドの記録媒体搬送路を挟み対向する位置に配置されるプラテンと、前記ヘッドの記録媒体搬送方向下流に配置され、前記記録媒体を裁断するカッタと、前記カッタの記録媒体搬送方向下流の記録媒体排出口に設けられ、前記記録媒体と接触する面に複数の凹部を備える搬送テーブルと、を備える画像形成装置と、
を備える商品販売データ登録処理装置。
【請求項５】
前記凹部は、
前記搬送テーブルの表面部の少なくとも前記記録媒体の搬送方向下流側に局面を有する請求項４記載の商品販売データ登録処理装置。
【請求項６】
前記凹部は、
前記搬送テーブルの表面部において少なくとも一部に曲線を含む形状をなす請求項５記載の商品販売データ登録処理装置。
【発明の詳細な説明】
【技術分野】
【０００１】
本発明の実施形態は、画像形成装置及び商品販売データ登録処理装置に関する。
【背景技術】
【０００２】
例えばＰＯＳ（Ｐｏｉｎｔ  ｏｆ  ｓａｌｅｓ）端末などの商品販売データ登録処理装置はレシートを印刷するためにプリンタ等の画像形成装置を備える。
【０００３】
この画像形成装置はロール状に巻かれた記録媒体に画像形成し、カッタによって記録媒体を切断して機外へ排出する。排出された記録媒体は搬送テーブルの上を搬送される。
【０００４】
従来の画像形成装置においては、この搬送テーブルは記録媒体の搬送方向に延びるリブを有し、このリブの上を記録媒体が滑るように搬送されていた。このため、特に冬季などの空気が乾燥した状態においては、リブと記録媒体の間に静電気が発生し、記録媒体が搬送テーブルに張り付いてジャムを引き起こしていた。
【先行技術文献】
【特許文献】
【０００５】
【特許文献１】特開２０１２−５１３４４号公報
【発明の概要】
【発明が解決しようとする課題】
【０００６】
従って、記録媒体が搬送されても静電気が起きにくく、ジャムが発生しにくい画像形成装置及び商品販売データ登録処理装置が求められている。
【課題を解決するための手段】
【０００７】
上記の課題を解決するために、本発明の一実施形態は、ロール状に巻かれた記録媒体に画像形成するヘッドと、ヘッドの記録媒体搬送路を挟み対向する位置に配置されるプラテンと、ヘッドの記録媒体搬送方向下流に配置され、記録媒体を裁断するカッタと、カッタの記録媒体搬送方向下流の記録媒体排出口に設けられ、記録媒体と接触する面に複数の凹部を備える搬送テーブルと、を備える画像形成装置を提供する。
【図面の簡単な説明】
【０００８】
【図１】商品販売データ登録処理装置の外観斜視図である。
【図２】プリンタの外観斜視図である。
【図３】プリンタの構成を示す側面図である。
【図４】搬送テーブルの平面図である。
【図５】搬送ガイドの図４におけるＡＡ線断面図である。
【図６】凹部の形状の変形例を示す図である。
【図７】凹部の形状の変形例を示す図である。
【図８】凹部の形状の変形例を示す図である。
【図９】商品販売データ登録処理装置の構成を示すブロック図である。
【発明を実施するための形態】
【０００９】
以下、画像形成装置及び商品販売データ登録処理装置の一実施形態について、図面を用いて詳細に説明する。
【００１０】
本実施形態の画像形成装置は、ロール状に巻かれた記録媒体に画像形成するヘッドと、ヘッドの記録媒体搬送路を挟み対向する位置に配置されるプラテンと、ヘッドの記録媒体搬送方向下流に配置され、記録媒体を裁断するカッタと、カッタの記録媒体搬送方向下流の記録媒体排出口に設けられ、記録媒体と接触する面に複数の凹部を備える搬送テーブルと、を備える。
【００１１】
なお、本実施形態の画像形成装置は単体でも商品販売データ登録処理装置に組み込んでも使用できる。以下、商品販売データ登録処理装置に組み込まれた画像形成装置を例に説明する。
【００１２】
図１は、商品販売データ登録処理装置１（以下、登録処理装置１と言う。）の外観斜視図である。図１に示すように、ＰＯＳ（Ｐｏｉｎｔ  ｏｆ  ｓａｌｅｓ）端末などの登録処理装置１は、本体部１０１と、タッチパネル等の入出力装置であるオペレータ側入出力装置１２Ａと、顧客側に向けられるタッチパネル等の入出力装置である客面入出力装置１２Ｂと、記録媒体に画像形成する画像形成装置であるプリンタ１２Ｃと、カードリーダ１０２と、キーボード１０３と、を備える。
【００１３】
以下、オペレータ側入出力装置１２Ａ及び客面入出力装置１２Ｂを入出力部１２と呼ぶ。
【００１４】
登録処理装置１はさらに、商品のバーコードをスキャンするスキャナを備えていてもよい。登録処理装置１は入出金装置と接続して使用することができる。
【００１５】
プリンタ１２Ｃはカバー１０１Ａによって覆われており、このカバー１０１Ａを外すとプリンタ１２Ｃの本体が露出する。
【００１６】
図２は、プリンタ１２Ｃの外観斜視図である。図２に示すように、プリンタ１２Ｃは記録媒体の排出口３５に記録媒体を載せて搬送する搬送テーブル２１を備える。搬送テーブル２１は記録媒体と接する面に複数の凹部２２を備える。
【００１７】
この凹部２２は、搬送テーブル２１を貫通していない。
【００１８】
図３は、プリンタ１２Ｃの構成を示す側面図である。図３に示すように、プリンタ１２Ｃは、ロール状に巻かれた記録媒体Ｐに画像形成するヘッド３３と、ヘッド３３と記録媒体搬送路を挟み、対向して配置されるプラテン３２と、ヘッド３３の記録媒体搬送方向下流に設けられるカッタ３４と、カッタ３４の記録媒体搬送方向下流の排出口３５に設けられる搬送テーブル２１と、プリンタ１２Ｃの動作を制御するプリンタ制御部３６と、を備える。
【００１９】
記録媒体Ｐはプラテン３２の回転によってロールから引き出されるとともにヘッド３３によって画像形成される。
【００２０】
画像形成された記録媒体Ｐは、カッタ３４の可動歯と固定歯によって裁断される。
【００２１】
裁断された記録媒体Ｐは搬送テーブル２１の上を搬送される。
【００２２】
図４は、搬送テーブル２１の平面図である。図４に示すように、搬送テーブル２１は記録媒体Ｐと接する面に複数の凹部２２を備える。搬送テーブル２１はさらに、記録媒体Ｐの位置を規制する搬送ガイド２３を備えていてもよい。
【００２３】
凹部２２の搬送テーブル２１の記録媒体に接触する面の面積に対する面積は５０％以上８０％以下が望ましい。
【００２４】
この割合が５０％未満となると静電気が起きやすくなり、８０％を超えると搬送テーブル２１の強度の点において問題が出てくるからである。
【００２５】
図５は、搬送テーブル２１の図４におけるＡＡ線断面図である。図５に示すように、凹部２２は、少なくとも記録媒体Ｐの搬送方向下流側に局面２４を有する。
【００２６】
記録媒体Ｐはこの局面２４により、凹部２２に引っかからずにスムーズに搬送テーブル２１の上を搬送されることが可能となる。
【００２７】
凹部２２の外周全体を局面２４により構成することも可能である。
【００２８】
凹部２２の搬送テーブル２１の表面における内径は１．５ｍｍ以上２ｍｍ以下が望ましい。また、凹部２２の深さは１．５ｍｍ以上２ｍｍ以下が望ましい。
【００２９】
内径が大きすぎると記録媒体Ｐの引っ掛かりが生じやすくなり、深すぎると搬送テーブル２１の強度の点において問題があるからである。
【００３０】
記録媒体Ｐが凹部２２の上を搬送されると、矢印Ｘに示す気流が発生する。この気流により、記録媒体Ｐが搬送テーブル２１に張り付くことが防止でき、静電気の発生を防止できる。
【００３１】
図６乃至図８は、凹部２２の形状の変形例を示す図である。図６乃至図８に示すように、凹部２２は搬送テーブル２１の表面における形状が少なくとも一部に曲線を含む形状をなすことが記録媒体Ｐの引っ掛かりを防止する点において望ましい。
【００３２】
凹部２２の搬送テーブル２１の表面における形状は、円形のほか、図６に示すように記録媒体Ｐの搬送方向に向かって幅が広くなり、搬送方向下流に曲線を有する涙型、図７に示すように記録媒体Ｐの搬送方向に長い楕円形状、及び図８に示すように複数の曲線の組み合わせの形状の中から１種類以上選ばれる。
【００３３】
図９は、登録処理装置１の構成を示すブロック図である。図９に示すように、登録処理装置１は、演算装置であるＣＰＵ（Ｃｅｎｔｒａｌ  ｐｒｏｃｅｓｓｉｎｇ  ｕｎｉｔ）を含む制御部９０１と、メモリ、ハードディスクドライブ等の記憶装置を含む記憶部９０２と、情報を入出力する入出力部１２と、カードリーダ１０２と、プリンタ１２Ｃと、情報通信を行う通信部９０３と、を備える。
【００３４】
記憶部９０２は、商品毎に固有に割り当てられる識別子である商品コード毎に単価を格納する商品マスタ９０２Ａと、一取引の内容を格納するトランザクションファイル９０２Ｂと、を格納する。
【００３５】
記憶部９０２は、商品販売データ登録処理プログラムを格納し、制御部９０１は記憶部９０２から商品販売データ登録処理プログラムを読み出して実行する。
【００３６】
プリンタ１２Ｃは、演算装置であるＣＰＵを含むプリンタ制御部３６と、メモリなどの記憶装置を含むプリンタ記憶部３７と、を備える。
【００３７】
プリンタ制御部３６は、制御部９０１から送信されてきたプリントデータを一時プリンタ記憶部３７に格納する。
【００３８】
プリンタ制御部３６は、格納したプリントデータをプリンタ記憶部３７から順次読みだしてヘッド３３の制御信号を生成するとともに、プラテン３２を駆動させて記録媒体Ｐに画像形成する。
【００３９】
登録処理装置１はスキャナまたはキーボード１０３から入力した商品コードに基づいて商品マスタ９０２Ａを検索し、単価を読み出す。登録処理装置１はさらに商品の数量を入力し、取引の内容をトランザクションファイル９０２Ｂに格納する。
【００４０】
登録処理装置１は小計ボタンが押下されたと判定した場合、小計を計算する。登録処理装置１は預り金を入力し、つり銭を計算するとプリンタ１２Ｃによって一取引の内容を記録媒体Ｐに画像形成する。
【００４１】
以上述べたように、本実施形態の画像形成装置であるプリンタ１２Ｃは、ロール状に巻かれた記録媒体Ｐに画像形成するヘッド３３と、ヘッド３３の記録媒体搬送路を挟み対向する位置に配置されるプラテン３２と、ヘッド３３の記録媒体搬送方向下流に配置され、記録媒体Ｐを裁断するカッタ３４と、カッタ３４の記録媒体搬送方向下流の記録媒体排出口３５に設けられ、記録媒体Ｐと接触する面に複数の凹部２２を備える搬送テーブル２１と、を備える。
【００４２】
従って、記録媒体が搬送されても静電気が起きにくく、ジャムが発生しにくいという効果がある。
【００４３】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１：登録処理装置
１２Ｃ：プリンタ
２１：搬送テーブル
２２：凹部
３２：プラテン
３３：ヘッド
３４：カッタ
【図１】
2015044348.tif 000003
【図２】
2015044348.tif 000004
【図３】
2015044348.tif 000005
【図４】
2015044348.tif 000006
【図５】
2015044348.tif 000007
【図６】
2015044348.tif 000008
【図７】
2015044348.tif 000009
【図８】
2015044348.tif 000010
【図９】
2015044348.tif 000011